(57)【要約】      （修正有）【課題】充電中の携帯電話の呼出に応え、また、一つのロッカーで複数機種に対応しスペース効率を良くし、さらに充電しながら携帯・モバイル端末が使用できる。【解決手段】利用者がロッカー筺体１２の収納扉４を開けると携帯電話の収納部９に携帯電話機１０をセットし電源供給用ソケット１１と接続する。このとき、携帯電話機ズレ防止板８で手前に携帯電話機がズレ落ちるのを防いでいる。その後、利用者がコインをコイン投入口５へ投入することで前もって設定された時間だけ電源が供給される。また、ＡＣ１００Ｖの供給口であるＡＣ１００Ｖコンセント３へも同時に電源が供給される。利用者が携帯電話機１０の充電中に、収納扉４を閉めてダイヤルロック７で施錠しその場所を離れることができる。【選択図】図１
0003136480.tif 000002
【実用新案登録請求の範囲】
【請求項１】
携帯電話機を収納する筺体と、
筺体の中の携帯電話機を収納する収納部の扉をロックまたは解除するダイヤルロック    
と
前記筺体の中に収納する携帯電話機の複数機種に対応するため、収納部には携帯電話機用充電ソケットを複数用意し、用意したソケットに電源を供給する電源部と
前記筺体に取り付けてあるコイン投入口から投入したコインを検知するコイン検知部
と
前記コイン検知部でコインを検知することでタイマーが作動開始し、同時に複数の携帯電話機用充電ソケットおよび筺体のＡＣ１００Ｖコンセントに電源を供給する電源ラインを制御するタイマー部と携帯電話機紛失盗難防止に役立つダイヤルロック付収納扉を備えた携帯電話・モバイル電源供給ロッカー。
【請求項２】
本装置は、コイン投入口にコインを投入する。投入されたコインは、簡単な真偽判定を行い真正通貨は内部のコイン収納部へ収納し、不良通貨であればコイン返却口に返却する。真正通貨を検知することで携帯電話機またはモバイル端末装置が接続されているかどうかには関係なく、タイマーで設定した時間だけ収納部の複数の携帯電話機用充電ソケットとＡＣ１００Ｖコンセントへ電源を供給し、使用中ランプを点灯させる携帯電話・モバイル電源供給ロッカー。
携帯電話機および相当品は、コインの投入には関係なく収納扉のダイヤルロックを利用して保管することが出来る携帯電話・モバイル電源供給ロッカー。
【考案の詳細な説明】
【技術分野】
【０００１】
本考案は、コイン（１００円硬貨）の検出機能を備え、投入を検知すると設定した時間、一つのロッカーで複数機種の携帯電話機用充電ソケット及びＡＣ１００Ｖコンセントに電源を供給する装置である。ロッカーの扉はコインの投入、検出に連動せずダイヤルロックのみで開閉できる。
【背景技術】
【０００２】
従来の携帯電話機等の充電器は、利用時間に応じて課金する充電器付きとして課金に応じた金額を投入しないと装置の扉が開かず、充電中に呼出があると充電を途中で中止しなければならないものであった（例えば特許文献１参照。）。
また、携帯電話機用充電電力自動販売機は、携帯電話機種によって収納するブロックが異なり全機種に対応するには、最低４ブロック以上が必要であった（例えば特許文献２参照。）。
【特許文献１】特開２００３−３０７４１
【特許文献２】特開平１０−１６２２４１
【考案の開示】
【考案が解決しようとする課題】
【０００３】
本考案は、充電中の携帯電話の呼出に応えられる。また、一つのロッカーで複数機種に対応しスペース効率を良くする。さらに充電しながら携帯・モバイル端末が使用できることを目的とする。
【課題を解決するための手段】
【０００４】
本考案は、充電中の携帯電話の呼出に応えるため投入されたコイン検出による充電開始と盗難防止の扉の開閉を連動させず独立とした。独立とすることによって何時でも任意に利用者が扉を開閉できる。扉は鍵の紛失の心配が無いダイヤルロックとした。スペース効率を良くするため一つのロッカーに複数機種対応の携帯電話機用充電ソケットを用意する。また、機器のＡＣアダプターを用意した利用者は、充電しながら携帯・モバイル端末が使用できるようＡＣ１００Ｖコンセントを用意した。
【考案の効果】
【０００５】
携帯電話・モバイル電源供給ロッカーは、利用者が携帯電話機・モバイル端末を使用する頻度が高く電池の無くなり易い、空港、駅のターミナル、バスターミナル、高速道路のパーキングエリア、サービスエリア、ホテル等に設置し、一度に複数の利用者がある場所では、需要に応じてロッカーの設置数を増減し対応する。また、喫茶店、レストラン等には、テーブル毎にロッカーを設置しサービスの提供を行うことで携帯電話機・モバイル端末を安心して利用することができる。なお、コイン投入口から投入されたコインは、コイン収納部に収納され、管理者が任意に鍵で収納金を回収する。
携帯電話・モバイル電源供給ロッカーは、携帯電話の充電電源およびＡＣ１００Ｖコンセントを通じて電源を供給する。利用者がＡＣアダプターを自ら用意した場合には、携帯電話機またはモバイル端末を利用しながら充電を行なえる。また、紛失盗難防止用の収納扉の鍵は、利用者が失くす事の無いダイヤルロックとした。
【考案を実施するための最良の形態】
【０００６】
空港の搭乗口付近、駅の待合室付近、バスのターミナル等携帯電話機・モバイル端末を頻繁に利用し電池を消耗する環境にある場所では、一度に多人数の利用が考えられるため本電源供給ロッカーを必要に応じて複数台設置する形態。また、ファミリーレストラン、喫茶店など長時間に渡って滞在し携帯電話・モバイル端末を長時間使用する環境にある場合には、本電源供給ロッカーをテーブル毎に設置する独立した形態。
【実施例】
【０００７】
以下、図面によって本考案の実施例を説明する。図１の（Ａ）は扉を閉じた全体図で、ロッカー筺体１２に利用者が開閉する前扉４、保守管理者が管理扉１３を開閉するのに使用する管理鍵１４また、コイン投入口５と投入された不良コインを返却するコイン返却口６、収納扉４の施錠・開錠をするダイヤルロック７とダイヤルロックツマミ７ａ、コイン投入後電源供給中を表す使用中ランプ２からなる。
【０００８】
図１の（Ｂ）は扉を開けた全体図で、利用者がロッカー筺体１２の収納扉４を開けると携帯電話の収納部９に携帯電話機１０をセットし電源供給用ソケット１１と接続する。このとき携帯電話機ズレ防止板８で手前に携帯電話機がズレ落ちるのを防いでいる。その後、利用者がコインをコイン投入口５へ投入することで前もって設定された時間だけ電源が供給される。また、ＡＣ１００Ｖの供給口であるＡＣ１００Ｖコンセント３へも同時に電源が供給される。利用者が携帯電話機１０の充電中に、収納扉４を閉めてダイヤルロック７で施錠しその場所を離れることができる。
【０００９】
保守管理者は管理扉１３を管理鍵１４で開け、携帯電話・モバイル電源供給ロッカーの保守とコイン収納部１５に収納されたコインを回収する。
【産業上の利用可能性】
【００１０】
携帯のメールを繰り返し利用する利用者の需要が有る。
【図面の簡単な説明】
【００１１】
【図１】携帯電話・モバイル電源供給ロッカーの全体図である。
【図２】上記ロッカーを４台取り付けた携帯電話・モバイル電源供給ロッカー取付台全体図である。
【図３】携帯電話・モバイル電源供給ロッカーの動作シーケンスである。
【符号の説明】
【００１２】
図１の符号の説明
（Ａ）携帯電話・モバイル電源供給ロッカーの収納扉４、管理扉１３を閉じた状          
態の見取り図
（Ｂ）携帯電話・モバイル電源供給ロッカーの収納扉４、管理扉１３を開放した状態の見取り図
１  携帯電話・モバイル電源供給ロッカー本体全体
２  携帯電話・モバイル電源供給ロッカー使用中ランプ
３  ＡＣ１００Ｖコンセント
４  収納扉
５  コイン投入口
６  コイン返却口
７  ダイヤルロック
７a ダイヤルロックツマミ
８  携帯電話機収納ズレ防止板
９  携帯電話機収納部
１０  収納部に収納した充電中の携帯電話機
１１  携帯電話機（メーカー別）用充電ソケット
１２  携帯電話・モバイル電源供給ロッカー筐体
１３  管理扉
１４  管理鍵
１５  コイン収納部
【図３】
0003136480.tif 000003
【図１】
0003136480.tif 000004
【図２】
0003136480.tif 000005
【手続補正書】
【提出日】平成19年7月25日(2007.7.25)
【手続補正１】
【補正対象書類名】実用新案登録請求の範囲
【補正対象項目名】全文
【補正方法】変更
【補正の内容】
【実用新案登録請求の範囲】
【請求項１】
携帯電話機を収納する筺体と、
筺体の中の携帯電話機を収納する収納部の扉をロックまたは解除するダイヤルロッ      クと、
前記筺体の中に収納する携帯電話機の複数機種に対応するため、収納部には携帯電      話機用充電ソケットを複数用意し、用意したソケットに電源を供給する電源部と、
前記筺体に取り付けてあるコイン投入口から投入したコインを検知するコイン検知      部と、
前記コイン検知部でコインを検知することでタイマーが作動開始し、同時に複数の      携帯電話機用充電ソケットおよび筺体のＡＣ１００Ｖコンセントに電源を供給する      電源ラインを制御するタイマー部と携帯電話機紛失盗難防止に役立つダイヤルロッ      ク付収納扉を備えた携帯電話・モバイル電源供給ロッカー。